(57)【要約】      （修正有）【課題】使用者の身体を支持することができるとともに、快適にかつ安全に使用することができる身体支持具を提供する。【解決手段】身体接触部２０は複数の小片体２３と、小片体２３を互いに連結する連結部材とを備える。小片体２３の縦側面２３Ｃは上面に向かってその断面積が小さくなる傾斜部を備え、横側面２３Ｄはその全体において下面から上面に向かってその断面積が小さくなる傾斜部を備える。小片体２３には横方向Ｘへ貫通する二つの貫通孔が設けられ、貫通孔を第１連結部２７が貫通して横方向Ｘへ並ぶ小片体２３が互いに連結される。小片体２３の下面は、第２連結部２８に固定される。小片体２３の下面には、板材２９を取付ける。身体接触部２０には弾性部３０が設けられ、弾性部３０には弾性を有する帯材３１が設けられる。弾性部３０の下方には剛性板部４０が配置される。【選択図】図２
0003196793.tif 000002
【実用新案登録請求の範囲】
【請求項１】
身体に接触可能な身体接触部と、前記身体接触部の前記身体に接触する面とは反対に位置する弾性部と、弾性部を支持する剛性板部とを含み、
前記身体接触部は、複数の小片体と、前記小片体を互いに連結する連結部材とを備えることを特徴とする身体支持具。
【請求項２】
前記身体接触部は、互いに直交する縦方向、横方向および厚さ方向を有し、
前記小片体は、前記縦方向および前記横方向へ複数並んで配置されるとともに、前記厚さ方向へ延びる側面が、前記身体に接触する面に向かってその断面積が小さくなる傾斜部を有することを特徴とする請求項１記載の身体支持具。
【考案の詳細な説明】
【技術分野】
【０００１】
この考案は、身体の支持具に関し、例えば、椅子、ベッド、座席等の身体支持具本体の他、これら本体に付随して用いられる座布団、クッション、パッド等も含む。
【背景技術】
【０００２】
従来、複数の木片をピアノ線で互いに連結させることによって座面を形成した椅子が知られている。座面に木片を用いることによって、木目を生かした意匠的に優れたものとすることができるとともに、高い通気性を維持することができる。また、木片を互いにピアノ線で連結させることによって、使用者の身体に沿って座面が撓み、良好な着座感を得ることができる（特許文献１参照）。
【先行技術文献】
【特許文献】
【０００３】
【特許文献１】特開平６−２１７８３９号公報
【考案の概要】
【考案が解決しようとする課題】
【０００４】
しかしながら、特許文献１によれば、木片とこれを連結するピアノ線のみで身体を支持するので、座った時に過剰に座面が沈み込みやすく、また、強度の維持に不安が残るという問題がある。
【０００５】
この考案では、使用者の身体を支持することができるとともに、快適にかつ安全に使用することができる身体支持具を提供することを課題とする。
【課題を解決するための手段】
【０００６】
この考案の身体支持具は、身体に接触可能な身体接触部と、前記身体接触部の前記身体に接触する面とは反対に位置する弾性部と、弾性部を支持する剛性板部とを含み、前記身体接触部は、複数の小片体と、前記小片体を互いに連結する連結部材とを備えることを特徴とする。
【０００７】
前記身体接触部は、互いに直交する縦方向、横方向および厚さ方向を有し、前記小片体は、前記縦方向および前記横方向へ複数並んで配置されるとともに、前記厚さ方向へ延びる側面が、前記身体に接触する面に向かってその断面積が小さくなる傾斜部を有することとしてもよい。
【考案の効果】
【０００８】
この考案の身体支持具によれば、身体接触部の身体と接触する面とは反対の面に弾性部を設け、さらに弾性部を支持する剛性板部を設けることとしたので、身体接触部の過剰な沈み込みを予防して快適な着座感を得ることができるとともに、安全性を向上させることができる。
【図面の簡単な説明】
【０００９】
【図１】この考案の身体支持具の一実施形態を示した斜視図。
【図２】座面の概要図であって説明のためその一部を破断した図。
【図３】図２のＩＩＩ−ＩＩＩ線断面概要図。
【図４】図２のＩＶ−ＩＶ線断面概要図。
【考案を実施するための形態】
【００１０】
この考案の一実施形態として椅子を例に説明する。図１を参照すれば、身体支持具１は、座面１２と、座面１２を支持する座面支持枠１３と、座面１２下方へ延びる脚１４と、座面１２上方へ延びる背もたれ１５と、背もたれ１５から突出するように設けられた肘掛１６とを備える。この実施形態において、通常の使用状態において外観に現れる部分には木材を利用し、身体支持具１の意匠性を向上させている。具体的には、座面１２の一部、脚１４、背もたれ１５および肘掛１６は、木材を用いる。
【００１１】
図２〜図４を参照すれば、座面１２は、互いに直交する縦方向Ｙ、横方向Ｘおよび厚さ方向Ｚを有する。座面１２は、厚さ方向Ｚ上方から順に、使用者に接触可能な身体接触部２０と、身体接触部２０の厚さ方向Ｚ下方に位置する弾性部３０と、弾性部３０を支持する剛性板部４０とを含む。
【００１２】
身体接触部２０は、縦方向Ｙへ延びる両側縁２０Ａ、および横方向Ｘへ延びる両端縁２０Ｂを有し、この実施形態では、両側縁２０Ａおよび両端縁２０Ｂによって矩形の身体接触部２０が形成される。身体接触部２０は木製の複数の小片体２３と、小片体２３を互いに連結する連結部材とを備える。身体接触部２０において、小片体２３が使用者の身体に接触するとともに、外観に現れる部分である。
【００１３】
小片体２３は、全体として角錐台であり、厚さ方向Ｚ上方に位置する上面２３Ａと、その反対に位置する下面２３Ｂと、縦方向Ｙへ延びるとともに、上面２３Ａおよび下面２３Ｂ間に位置し厚さ方向Ｚへ延びる一対の縦側面２３Ｃと、横方向Ｘへ延びるとともに、上面２３Ａおよび下面２３Ｂ間に位置し厚さ方向Ｚへ延びる一対の横側面２３Ｄとを有する。
【００１４】
特に図３を参照すれば、縦側面２３Ｃの少なくとも一部には、上面２３Ａに向かってその断面積が小さくなる傾斜部２４を備える。この実施形態において、縦側面２３Ｃにおいて、その下面２３Ｂ側では下面２３Ｂに対してほぼ直角であり、上面２３Ａ側でのみ傾斜部２４を形成している。また、両側縁２０Ａを形成する小片体２３の縦側面２３Ｃにおいては、傾斜部を形成せず、上面２３Ａおよび下面２３Ｂに対してほぼ直角である。両側縁２０Ａに位置する小片体２３の縦側面２３Ｃをほぼ直角にすることによって、座面支持枠１３に小片体２３を密着させることができ、座面支持枠１３に取付けたときの安定性を向上させることができる。
【００１５】
特に図４を参照すれば、横側面２３Ｄにおいて、その全体において下面２３Ｂから上面２３Ａに向かってその断面積が小さくなる傾斜部２５を形成している。
【００１６】
縦側面２３Ｃおよび横側面２３Ｄに傾斜部２４および傾斜部２５をそれぞれ設けることによって、使用者の着座によって身体接触部２０が撓んだ時に、小片体２３の上面２３Ａ近傍が互いにぶつからないように、すなわち、使用者の身体に沿った変形が可能となるようにしている。また、小片体２３がぶつかったときの軋み音の発生を抑制することができる。さらに、下面２３Ｂ側に傾斜部を設けないことによって、隣接する小片体２３に隙間ができないようにして、身体接触部２０の下方に位置する弾性部等が使用者から見えないようにすることができる。すなわち、意匠性を損なわないようにすることができる。
【００１７】
小片体２３には横方向Ｘへ貫通する二つの貫通孔２６が設けられ、隣接する小片体２３の一方の貫通孔２６を第１連結部２７が横方向Ｘへ貫通し、同様に他方の貫通孔２６も第１連結部２７が横方向Ｘへ貫通する。一方の貫通孔２６および他方の貫通孔２６をそれぞれ貫通した第１連結部２７を互いに連結させることによって、環状の連結部を構成することができ、横方向Ｘへ並ぶ小片体２３を連結することができる。第１連結部２７として、ピアノ線等の剛性線条を用いることができる。二つの貫通孔２６を設け、二本の第１連結部２７で連結するので、小片体２３の回転を抑制し、平面的に小片体２３を維持することができる。
【００１８】
小片体２３の下面２３Ｂにおいて、縦方向Ｙへ延びる第２連結部２８が設けられる。第２連結部２８としては、伸縮性を有する布等で形成された帯材を用いることができる。小片体２３の下面２３Ｂは、ステープルや接着剤、ネジ等で第２連結部２８に固定される。このように第２連結部２８によって縦方向Ｙへ並ぶ小片体２３が互いに連結される。この実施形態において、第１連結部２７および第２連結部２８を用いることによって、小片体２３を縦方向Ｙおよび横方向Ｘの双方において連結することができる。したがって、より安定的に小片体２３が互いに連結される。ただし、第１連結部２７または第２連結部２８のいずれか一方のみを用いてもよい。
【００１９】
小片体２３の下面２３Ｂには、第２連結部２８を介してさらに板材２９を取付ける。板材２９は、少なくとも身体接触部２０の両端縁２０Ｂに対応する位置に配置する。板材２９は、ひとつの小片体２３の下面２３Ｂにおける面積よりも小さい方が望ましい。このように板材２９を設けることによって、使用者が着座したときに、両端縁２０Ｂが上方に反り返るのを予防することができる。なお、必要に応じて両側縁２０Ａおよびその他の位置にも板材２９を取付けてもよい。
【００２０】
上記のような身体接触部２０の厚さ方向Ｚ下方には弾性部３０が設けられる。弾性部３０は、使用者が着座したときには、身体接触部２０とともに使用者の臀部に沿って変形可能であって、座面から離れたときにはその変形が復元されるものをいう。例えば、発泡ウレタン等の弾性合成樹脂、袋状の弾性樹脂の内部に気体が封入されるエアーマット、スプリングやコイルが内在するマット等を用いることができる。このように弾性部３０を配置することによって、使用者の着座によって変形した身体接触部２０を支持し、身体接触部２０の適度な変形を実現することができる。また、第１連結部２７または第２連結部２８に破損等があった場合でも、使用者を支えることができるように安全性の向上が実現される。
【００２１】
弾性部３０の厚さ方向Ｚ下方には、弾性を有する帯材３１をさらに取り付けることができる。帯材３１は、例えば、格子状に縦方向Ｙおよび横方向Ｘに配列することが望ましい。このように帯材３１を用いることで、より一層安定的に身体接触部２０を支持することができる。
【００２２】
弾性部３０の厚さ方向Ｚ下方、すなわち身体接触部２０に対向する面には、剛性板部４０を配置する。剛性板部４０は、少なくとも弾性部３０よりも変形しにくいものを用いる。この実施形態では、ベニヤ板などの板材を用いる。剛性板部４０のほぼ中央には、厚さ方向Ｚに貫通する開孔４１が形成される。このように開孔４１を形成することによって、使用者が座面に着座したときに、剛性板部４０による違和感を解消することができる。また、開孔４１に重なるように帯材３１を配置することが望ましい。このように帯材３１を配置することによって、開孔４１に位置する使用者の臀部を帯材３１で支持することができる。剛性板部４０としては、ベニヤ板等の木製の他、剛性樹脂製、金属製等適宜変更可能である。
剛性板部４０は、座面支持枠１３に載置可能な大きさにしている（図示せず）。剛性板部４０を用いることによって、座面２全体を支持することができる。
【００２３】
上記のような構成において、例えば、板材２９、弾性部３０、帯材３１および剛性板部４０を被覆部材４２によって覆うことができる。複数の構成要素を被覆部材４２で覆うことによって、一体的に扱うことができ、作業性の向上が期待できる。
【００２４】
この実施形態において、小片体２３の形状は全体として角錐台であるが、これに限られるものではない。例えば、縦方向Ｙまたは横方向Ｘへ延びる円柱状であってもよいし、六角柱等の多角柱状であってもよい。また、傾斜部２４，２５は小片体２３の一部に設けられていればよく、その面積や角度等、適宜変更可能である。さらに、小片体２３として木材を使用しているが、これに限定されるものではなく、合成樹脂や金属等、種々の材料を用いることができる。
【００２５】
小片体２３の連結部として、第１連結部２７および第２連結部２８を用いているが、身体接触部２０の下面２２全体を覆うことが可能なシート部材を用いることもできる。すなわち、小片体２３は、シート部材上において縦方向Ｙおよび横方向Ｘへ並べられ、接着剤やステープル等を用いてシート部材に固定される。このようにシート部材を用いることによって、小片体２３が固定されたシート部材を弾性部３０へ取り付けるだけで、身体接触部２０および弾性部３０の連結が可能であるので、その作業性が容易である。
【００２６】
身体支持具１を構成する各構成部材には、本明細書に記載されている材料のほかに、この種の分野において通常用いられている、各種の公知の材料を制限なく用いることができる。この実施形態において、身体支持具１として椅子の座面１２に身体接触部２０、弾性部３０および剛性板部４０等を設ける場合を例に挙げて説明しているが、これに限定されるものではなく、例えば、座面１２の他に背もたれ１５にも設けるようにしてもよい。また、椅子の他、ベッドや座布団等、使用者の身体を支持可能なものに適用可能である。また、本考案の明細書において、用語「第１」および「第２」は、同称の要素、位置等を単に区別するために用いられている。
【符号の説明】
【００２７】
１    身体支持具
２０    身体接触部
２３    小片体
２３Ｃ  縦側面（側面）
２３Ｄ  横側面（側面）
２７    第１連結部（連結部）
２８    第２連結部（連結部）
３０    弾性部
４０    剛性板部
４１    開孔
【図１】
0003196793.tif 000003
【図２】
0003196793.tif 000004
【図３】
0003196793.tif 000005
【図４】
0003196793.tif 000006